(57)【要約】  １つの実施形態では、システムが、ユーザに関連するＲＦＩＤタグ上に記憶されたデータを読み取って、データとＲＦＩＤタグの位置とを示す第１の信号を生成するように構成された無線周波数識別（ＲＦＩＤ）リーダと、相互作用要素とのユーザインタラクションを検出して、ユーザインタラクションを示す第２の信号を生成するように構成されたセンサシステムと、第１の信号及び第２の信号に基づいて、ユーザをユーザインタラクションに合致させて、ユーザがユーザインタラクションに合致したことを反映するようにユーザデータベースを更新するように構成されたプロセッサと、を含む。【選択図】図１
2021510869.tif 000002
【特許請求の範囲】
【請求項１】
ユーザに関連するＲＦＩＤタグ上に記憶されたデータを読み取り、前記データと前記ＲＦＩＤタグの位置とを示す第１の信号を生成するように構成された無線周波数識別（ＲＦＩＤ）リーダと、
相互作用要素とのユーザインタラクションを検出して、前記ユーザインタラクションを示す第２の信号を生成するように構成されたセンサシステムと、
前記第１の信号及び前記第２の信号に基づいて、前記ユーザを前記ユーザインタラクションに合致させ、前記ユーザが前記ユーザインタラクションに合致したことを反映するようにユーザデータベースを更新するように構成されたプロセッサと、
を備えることを特徴とするシステム。
【請求項２】
前記相互作用要素は画像を含み、前記プロセッサは、前記ユーザを前記ユーザインタラクションに合致させたことに応答して、表示するための別の画像をレンダリングするように構成される、
請求項１に記載のシステム。
【請求項３】
前記ＲＦＩＤリーダは、極超短波ＲＦＩＤリーダである、
請求項１に記載のシステム。
【請求項４】
前記ＲＦＩＤリーダは、前記ＲＦＩＤタグから前記ＲＦＩＤリーダに送信されたＲＦＩＤ信号の強度を示す第３の信号を生成するように構成され、前記プロセッサは、前記第３の信号に基づいて、前記ユーザを前記ユーザインタラクションに合致させるように構成される、
請求項１に記載のシステム。
【請求項５】
前記センサシステムは、１又は２以上の光学検出器を含む、
請求項１に記載のシステム。
【請求項６】
前記センサシステムは、第１の相互作用要素を表示するように構成されたディスプレイの周辺に位置する複数の光学検出器を含む、
請求項１に記載のシステム。
【請求項７】
前記センサシステムは、複数の近距離通信リーダを含む、
請求項１に記載のシステム。
【請求項８】
前記センサシステムは、光検出及び測距（ＬＩＤＡＲ）システムを含む、
請求項１に記載のシステム。
【請求項９】
前記センサシステムは、抵抗式タッチ画面パネル、容量式タッチ画面パネル、表面音響波パネル、又はこれらのいずれかの組み合わせを含む、
請求項１に記載のシステム。
【請求項１０】
前記ＲＦＩＤリーダは、さらなるユーザに関連するさらなるＲＦＩＤタグ上に記憶されたそれぞれのデータを読み取って、前記それぞれのデータを示す第３の信号を生成するように構成され、前記センサシステムは、さらなる相互作用要素とのユーザインタラクションを検出して、前記さらなるユーザインタラクションを示す第４の信号を生成するように構成され、前記プロセッサは、前記第３の信号及び前記第４の信号に基づいて、前記さらなるユーザを前記さらなるユーザインタラクションに合致させ、前記さらなるユーザが前記さらなるユーザインタラクションに合致したことを反映するように前記ユーザデータベースを更新するように構成される、
請求項１に記載のシステム。
【請求項１１】
前記センサシステムは、前記ユーザインタラクション及び前記さらなるユーザインタラクションが実質的に同時に発生した時に、前記ユーザを前記ユーザインタラクションに合致させて、前記さらなるユーザを前記さらなるユーザインタラクションに合致させるように構成される、
請求項１０に記載のシステム。
【請求項１２】
前記ＲＦＩＤタグ上に記憶されたデータを読み取り、前記ＲＦＩＤタグから前記１又は２以上のさらなるＲＦＩＤリーダに送信されたそれぞれのＲＦＩＤ信号のそれぞれの強度を示す１又は２以上のさらなる信号を生成するように構成された１又は２以上のさらなるＲＦＩＤリーダ備え、前記プロセッサは、前記第１の信号及び前記１又は２以上のさらなる信号に基づいて、前記相互作用要素に対する前記ＲＦＩＤタグの位置を特定するように構成される、
請求項１に記載のシステム。
【請求項１３】
１又は２以上のそれぞれのユーザに関連する１又は２以上のＲＦＩＤタグ上に記憶されたデータを読み取るように構成された無線周波数識別装置（ＲＦＩＤ）リーダと、
ディスプレイの第１の部分における第１のユーザインタラクション、及び前記ディスプレイの第２の部分における第２のユーザインタラクションを検出するように構成されたセンサシステムと、
前記ＲＦＩＤリーダから、前記データを示すＲＦＩＤ信号を受け取り、前記センサシステムから、前記第１のユーザインタラクション及び前記第２のユーザインタラクションを示すセンサ信号を受け取るように構成されたプロセッサと、
を備え、前記プロセッサは、前記ＲＦＩＤ信号及び前記センサ信号に基づいて、前記ディスプレイの前記第１の部分に表示するための第１の画像と、前記ディスプレイの前記第２の部分に表示するための第２の画像とをレンダリングするように構成される、
ことを特徴とするシステム。
【請求項１４】
前記プロセッサは、前記ＲＦＩＤ信号及び前記センサ信号に基づいて、前記１又は２以上のそれぞれのユーザのうちの第１のユーザを前記第１のユーザインタラクションに合致させ、前記１又は２以上のそれぞれのユーザのうちの前記第１のユーザが前記第１のユーザインタラクションに合致したことを反映するようにユーザデータベースを更新するように構成される、
請求項１３に記載のシステム。
【請求項１５】
前記ＲＦＩＤ信号は、前記１又は２以上のＲＦＩＤタグの各々のそれぞれの位置を示す、
請求項１３に記載のシステム。
【請求項１６】
プロセッサにおいて、無線周波数識別装置（ＲＦＩＤ）リーダによって読み取られた、ユーザに関連するＲＦＩＤタグ上に記憶されたデータと前記ＲＦＩＤタグの位置とを示す第１の信号を前記ＲＦＩＤリーダから受け取るステップと、
前記プロセッサにおいて、相互作用要素とのユーザインタラクションを示す第２の信号をセンサシステムから受け取るステップと、
前記プロセッサを使用して、前記第１の信号及び前記第２の信号に基づいて、前記ユーザを前記ユーザインタラクションに合致させるステップと、
前記プロセッサを使用して、前記ユーザが前記ユーザインタラクションに合致したことを反映するようにユーザデータベースを更新するステップと、
を含むことを特徴とする方法。
【請求項１７】
前記プロセッサを使用して、前記ユーザを前記ユーザインタラクションに合致させたことに応答して、ディスプレイ上に表示するための画像をレンダリングするステップを含む、
請求項１６に記載の方法。
【請求項１８】
前記センサシステムを使用して、発光素子によって放出された光の遮断を検出するステップと、
前記センサシステムを使用して、前記光の遮断に応答して前記第２の信号を生成するステップと、
を含む請求項１６に記載の方法。
【請求項１９】
前記プロセッサにおいて、前記ＲＦＩＤリーダによって読み取られたさらなるユーザに関連するさらなるＲＦＩＤタグ上に記憶されたそれぞれのデータを示す第３の信号を前記ＲＦＩＤリーダから受け取るステップと、
前記プロセッサにおいて、さらなる相互作用要素とのさらなるユーザインタラクションを示す第４の信号を前記センサシステムから受け取るステップと、
前記プロセッサを使用して、前記第３の信号及び前記第４の信号に基づいて、前記さらなるユーザを前記さらなるユーザインタラクションに合致させるステップと、
前記プロセッサを使用して、前記さらなるユーザが前記さらなるユーザインタラクションに合致したことを反映するように前記ユーザデータベースを更新するステップと、
を含む請求項１６に記載の方法。
【請求項２０】
前記プロセッサにおいて、第１のＲＦＩＤタグ上に記憶されたデータを読み取るように構成された１又は２以上のさらなるＲＦＩＤリーダから１又は２以上のさらなる信号を受け取るステップと、
前記プロセッサを使用して、前記第１の信号及び前記１又は２以上のさらなる信号に基づいて、第１の相互作用要素に対する前記第１のＲＦＩＤタグの位置を特定して、第１のユーザを第１のユーザインタラクションに合致させることを容易にするステップと、
を含む請求項１６に記載の方法。
【発明の詳細な説明】
【技術分野】
【０００１】
〔関連出願との相互参照〕
本出願は、２０１８年１月１５日に出願された「相互作用システム及び方法（ＩＮＴＥＲＡＣＴＩＶＥ  ＳＹＳＴＥＭＳ  ＡＮＤ  ＭＥＴＨＯＤＳ）」という名称の米国仮特許出願第６２／６１７，５３１号に基づく優先権及びその利益を主張するものであり、この文献はその全体が全ての目的で引用により本明細書に組み入れられる。
【０００２】
本開示は、一般に遊園地に関する。具体的には、本開示の実施形態は、遊園地内で使用するための相互作用システム及び方法に関する。
【背景技術】
【０００３】
遊園地及び／又はテーマパークは、様々な娯楽アトラクションを含むことができる。いくつかの既存のアトラクションは、来園客に没入的体験又は相互作用体験を提供することができる。例えば、来園客は、オーディオ、ビデオ及び特殊効果機能などの様々な特徴を有するエリアを訪れることができる。最新のアトラクションがますます高度かつ複雑になり、これに対応して遊園地及び／又はテーマパークの来園客間で期待が高まるとともに、より相互作用的な個人化された体験を提供するアトラクションを含む改善された独創性の高いアトラクションが必要とされている。
【発明の概要】
【課題を解決するための手段】
【０００４】
１つの実施形態では、システムが、ユーザに関連するＲＦＩＤタグ上に記憶されたデータを読み取って、このデータとＲＦＩＤタグの位置とを示す第１の信号を生成するように構成された無線周波数識別（ＲＦＩＤ）リーダと、相互作用要素とのユーザインタラクションを検出して、ユーザインタラクションを示す第２の信号を生成するように構成されたセンサシステムと、第１の信号及び第２の信号に基づいて、ユーザをユーザインタラクションに合致させて、ユーザがユーザインタラクションに合致したことを反映するようにユーザデータベースを更新するように構成されたプロセッサと、を含む。
【０００５】
１つの実施形態では、システムが、それぞれのユーザに関連するＲＦＩＤタグ上に記憶されたデータを読み取るように構成された無線周波数識別装置（ＲＦＩＤ）リーダと、ディスプレイの第１の部分における第１のユーザインタラクション、及びディスプレイの第２の部分における第２のユーザインタラクションを検出するように構成されたセンサシステムと、ＲＦＩＤリーダから、上記データを示すＲＦＩＤ信号を受け取り、センサシステムから、第１のユーザインタラクション及び第２のユーザインタラクションを示すセンサ信号を受け取るように構成されたプロセッサと、を含む。プロセッサは、ＲＦＩＤ信号及びセンサ信号に基づいて、ディスプレイの第１の部分に表示するための第１の画像と、ディスプレイの第２の部分に表示するための第２の画像とをレンダリングするように構成される。
【０００６】
１つの実施形態では、方法が、プロセッサにおいて、ＲＦＩＤリーダから第１の信号を受け取り、その後にプロセッサにおいて、センサシステムから第２の信号を受け取るステップを含む。第１の信号は、ＲＦＩＤリーダによって読み取られた、ユーザに関連するＲＦＩＤタグ上に記憶されたデータとＲＦＩＤタグの位置とを示し、第２の信号は、相互作用要素とのユーザインタラクションを示す。この方法は、プロセッサを使用して、第１の信号及び第２の信号に基づいて、ユーザをユーザインタラクションに合致させるステップと、最後にプロセッサを使用して、ユーザがユーザインタラクションに合致したことを反映するようにユーザデータベースを更新するステップとをさらに含む。
【０００７】
全体を通じて同じ部分を同じ符号によって示す添付図面を参照しながら以下の詳細な説明を読めば、本開示のこれらの及びその他の特徴、態様及び利点がより良く理解されるようになる。
【図面の簡単な説明】
【０００８】
【図１】本開示の態様による相互作用システムの概略図である。
【図２】本開示の態様による、図１の相互作用システムで使用できる無線周波数識別（ＲＦＩＤ）システムの概略図である。
【図３】本開示の態様による、図１の相互作用システムと相互作用する複数のユーザの概略図である。
【図４】本開示の態様による、図１の相互作用システムで使用できるセンサシステムの概略図である。
【図５】本開示の態様による、図１の相互作用システムと共に使用してユーザの相互作用の深さを検出できるセンサシステムの概略図である。
【図６】本開示の態様による、図１の相互作用システムの動作方法のフロー図である。
【発明を実施するための形態】
【０００９】
以下、本開示の１又は２以上の特定の実施形態について説明する。これらの実施形態を簡潔に説明するために、本明細書では実際の実装の特徴を全て説明していない場合もある。なお、あらゆる工学又は設計プロジェクトにおいて見られるようなあらゆるこのような実際の実装の開発においては、実装によって異なり得るシステム関連及びビジネス関連の制約の順守などの開発者の個別の目的を達成するために、数多くの実装固有の決定を行わなければならないと理解されたい。さらに、このような開発努力は複雑かつ時間の掛かるものとなり得るが、本開示の恩恵を受ける当業者にとっては設計、製作及び製造という日常的な取り組みであると理解されたい。
【００１０】
遊園地は、遊園地乗り物、実演ショー及びゲームなどの様々な娯楽を呼び物とする。様々なタイプの娯楽は、遊園地における来園客の体験を強化する特徴を含むことができる。しかしながら、娯楽の形態の多くは、来園客の以前の体験又は行動に基づいて変化することはない。例えば、ゲームは、各来園客について同じルール、要素及びゲームプレーを含むことができる。来園客の中には、来園客毎に及び／又は各相互作用中に異なる、より相互作用的な形態の娯楽を好む者もいる。従って、来園客と相互作用要素との相互作用を検出し、及び／又は来園客の相互作用に少なくとも部分的に基づいて独自の体験を提供するように相互作用要素を更新する相互作用システムを形成する必要があると考えられる。
【００１１】
本開示は、無線周波数識別（ＲＦＩＤ）を使用する相互作用システムに関する。相互作用システムのユーザは、遊園地の来園客とすることができる。ユーザは、ＲＦＩＤタグを支持する装置を着用又は携行することができる。相互作用システムは、ＲＦＩＤタグを読み取って、ユーザと相互作用要素との相互作用を検出することができる。１つの実施形態では、相互作用システムが、ユーザとシステムとの相互作用に応じて異なる要素を表示することができる。各ユーザは、システムとの間で異なるそれぞれの相互作用を行った可能性があり、従ってシステムは、ユーザ毎に異なる相互作用要素を表示することができる。さらに、相互作用システムは、ユーザの成果又は実績に基づいて異なる特徴をアクティブにすることができる。このようにして、相互作用システムとの間の各ユーザの体験を異なるものにし、より適切にユーザに適合するように調整することができる。
【００１２】
図面を参照すると、図１は、相互作用システム８の実施形態の概略図である。１つの実施形態では、相互作用システム８をアトラクションの室内又はエリア内に配置することができる。図１に示すように、相互作用システム８は、ＲＦＩＤリーダ１０と、センサシステム１２と、コンピュータシステム１４（例えば、クラウドコンピュータシステム）とを含む。各ＲＦＩＤリーダ１０は、ユーザ１８が着用又は携行できるウェアラブル装置１６（例えば、ブレスレット、ネックレス、装飾品、ピン又は玩具などのウェアラブル装置又はポータブル装置）によって支持されたＲＦＩＤタグ５０を読み取ることができる。１つの実施形態では、ＲＦＩＤリーダ１０を、ＲＦＩＤタグ５０及び／又は他の装置に情報を送信できるトランシーバとすることができる。例えば、ＲＦＩＤリーダ１０は、ＲＦＩＤタグ５０から受け取られた情報を示す信号をコンピュータシステム１４に送信し、コンピュータシステム１４は、この信号に基づいてユーザ１８のおおよその位置を特定することができる。動作中、ユーザ１８は、相互作用要素２０（例えば、物体又は画像）と相互作用し、この相互作用をセンサシステム１２が検出することができる。１つの実施形態では、相互作用要素２０を、ディスプレイ２１（例えば、画面又は壁部）上に表示された画像（例えば、視覚的要素又はグラフィック要素）とすることができる。ユーザ１８が相互作用要素２０と相互作用すると、センサシステム１２は、実行された動作を検出し、コンピュータシステム１４に動作を示す信号を送信することができる。コンピュータシステム１４は、受け取られた信号に応答して、ユーザ１８に関する情報を更新し（例えば、ポイントを割り当て、レベルを更新し、課題を完了としてマークし）、及び／又は相互作用要素２０を変更することができる。コンピュータシステム１４は、１又は２以上のデータベース２２と、相互作用要素２０及び１又は２以上のデータベース２２を更新することに関する命令を含むメモリ２４と、命令を実行する１又は２以上のプロセッサ２６とを含むことができる。メモリ２４は、命令を記憶できる非一時的コンピュータ可読媒体を含む。
【００１３】
図２は、相互作用システム８において使用できるＲＦＩＤシステム２８の概略図である。ＲＦＩＤシステム２８は、ＲＦＩＤリーダ１０及びＲＦＩＤタグ５０を含む。ＲＦＩＤリーダ１０は、ユーザ１８に関連するウェアラブル装置１６のＲＦＩＤタグ５０を読み取ることによって情報を取得することができる。ＲＦＩＤタグ５０は、マイクロチップ５２と、マイクロチップ５２に給電を行う集積回路５４と、情報を記憶するメモリ５６と、信号を送受信できるアンテナ５８とを含むことができる。ＲＦＩＤリーダ１０は、電磁波の形の信号を連続的に送出する。１つの実施形態では、ＲＦＩＤリーダ１０及びＲＦＩＤタグ５０が、約３００ＭＨｚ〜３ＧＨｚに及ぶことができる極超短波（ＵＨＦ）を使用する。なお、ＲＦＩＤリーダ１０は、あらゆる好適な周波数の電波を放出することができると理解されたい。さらに、いくつかの実施形態では、これに加えて、又はこれとは別に、ＲＦＩＤタグ５０が近距離通信（ＮＦＣ）を使用することもでき（例えば、ＲＦＩＤタグ５０を二重周波数ＲＦＩＤタグとすることができ）、これをＮＦＣリーダが読み取ることができる。ウェアラブル装置１６がＲＦＩＤリーダ１０から一定の距離（例えば、約１０又は２０フィート）内に存在する場合、ＲＦＩＤタグ５０のアンテナ５８は、放出された電磁波をエネルギーとして取り込む。集積回路５４は、このエネルギーを使用してマイクロチップ５２に電力を供給し、マイクロチップ５２は後方散乱を生成する。この後方散乱は、ＲＦＩＤタグ５０のメモリ５６に記憶された情報を含む信号である。ＲＦＩＤタグ５０は、アンテナ５８を介してＲＦＩＤリーダ１０に後方散乱を送信し、ＲＦＩＤリーダ１０は、この後方散乱を解釈して情報を取得する。ＲＦＩＤリーダ１０は、ＲＦＩＤタグ５０から取得された後方散乱を示す信号をコンピュータシステム１４に送信することができる。コンピュータシステム１４は、この情報を使用して、相互作用システム８の相互作用要素２０を変更することができる。さらに、ＲＦＩＤリーダ１０は、ＲＦＩＤタグ５０によって送信された後方散乱の強度を検出することができ、この結果、コンピュータシステム１４は、ＲＦＩＤタグ５０の、従ってユーザ１８のおおよその位置を特定することができる。１つの実施形態では、相互作用システム８内で複数のＲＦＩＤリーダ１０を使用して、受け取られた後方散乱のそれぞれの強度に基づいて、（例えば、三角測量を介して）より効率的に及び／又は正確にユーザ１８の位置を特定することができる。
【００１４】
ウェアラブル装置１６は、複数の相互作用システム８内に配置された複数のＲＦＩＤリーダ１０と互換性を有することができ、複数回の遊園地の訪問にわたって再利用することができる。動作中、ＲＦＩＤリーダ１０がＲＦＩＤタグ５０から信号を受け取ると、ＲＦＩＤリーダ１０は、ウェアラブル装置１６を識別することができ、コンピュータシステム１４は、１又は２以上のデータベース２２からの対応する情報にアクセスすることができる。１又は２以上のデータベース２２内の対応する情報は、ユーザのアイデンティティ、基本設定、ゲーム内レベル、完了した課題又は行動、チーム加入、或いはユーザ１８、ウェアラブル装置１６、及び／又は１又は２以上の相互作用システム８との過去の相互作用に関連する様々な他の情報のいずれかを含むことができる。このようにして、ユーザ１８は、過去の実績及び体験を積み重ねることができる。１又は２以上のデータベース２２は、ディスプレイ２１上などにレンダリングできる蓄積メディアを（例えば、モデル又はメディアデータベース内に）含むこともできる。１つの実施形態では、メモリ５６とリモートコンピュータシステム（例えば、ゲーム機）との間でデータを転送することができる。例えば、リモートコンピュータシステム上の成果を示すデータをメモリ５６に書き込んで記憶することができる。その後、ＲＦＩＤリーダ１０は、メモリ５６内のデータを読み取ることができ、コンピュータシステム１４は、このデータに基づいてゲームプレーを調整する（例えば、ディスプレイ２１上に新たな相互作用要素２０を生成する）ことができる。
【００１５】
再び図１を参照すると、センサシステム１２及びＲＦＩＤシステム２８（図２）は、相互作用の発生、及びその相互作用を誰が引き起こしたかの両方を特定するように連動することができる。例えば、ユーザ１８は、相互作用要素２０と相互作用する（例えば、ディスプレイ２１上の画像とすることができる相互作用要素２０に触れる）ことができる。センサシステム１２は、相互作用要素２０との相互作用が発生したことを検出し、コンピュータシステム１４に信号を送信することができる。センサシステム１２によって生成された信号は、相互作用の発生、及び／又はセンサシステム１２及び相互作用要素２０に対する相互作用の位置に関する情報を示し又は提供することができる。しかしながら、センサシステム１２は、ユーザ１８のアイデンティティを検出することも、どのユーザ１８が相互作用要素２０と相互作用したかを特定することもできない。上述したように、ＲＦＩＤシステム２８は、ユーザ１８のＲＦＩＤタグ５０から受け取られた後方散乱に基づいてユーザ１８の識別を特定することができる。ＲＦＩＤシステム２８は、受け取られた後方散乱の強度に基づいてユーザ１８のおおよその位置を特定することもできる。ＲＦＩＤシステム２８は、これらの識別及びおおよその位置に関する情報をコンピュータシステム１４に送信することができる。その後、コンピュータシステム１４は、相互作用の発生、相互作用の位置、ユーザ１８の識別及びユーザ１８の位置に関する情報を使用して、どのユーザ１８が相互作用要素２０と相互作用したかを特定することができる。コンピュータシステム１４は、ユーザ１８が相互作用要素２０と相互作用したと判定した結果、この相互作用を反映するようにユーザ１８に関する情報を更新する（例えば、ポイントを割り当てる）ことができる。従って、センサシステム１２及びＲＦＩＤシステム２８は、共にアトラクション内の各ユーザ１８の相互作用を効率的に追跡するシステムを提供する。
【００１６】
１つの実施形態では、コンピュータシステム１４のプロセッサ２６が、ユーザ１８が着用又は携行しているウェアラブル装置１６に支持されているＲＦＩＤタグ５０の識別を特定することができる。１つの実施形態では、データベース２２が、ユーザ１８に関連することができるＲＦＩＤタグ５０の対応する情報を含むことができる。例えば、ユーザ１８は、ウェアラブル装置１６を取得すると、ウェアラブル装置１６を登録してユーザ１８に関連付け、及び／又は（例えば、コンピュータシステム１４に通信可能に結合された携帯電話機などのユーザのコンピュータ装置を介して）ユーザの名前、年齢、物理的属性及び／又は制限、好みの難易度、好みのキャラクタ、好みのゲームタイプ、好みのチーム加入又は好みのテーマなどなどのいずれかのユーザ情報及び／又は基本設定を入力し、これらをＲＦＩＤタグ５０の対応する情報としてデータベース２２内に記憶することができる。ユーザ１８が相互作用システム８と相互作用すると、データベース２２内に記憶されたＲＦＩＤタグ５０の対応する情報を、完了した相互作用、成果又はゲーム内レベルなどを含むように更新することができる。
【００１７】
なお、データベース２２は、それぞれのユーザ１８が着用又は携行しているそれぞれのウェアラブル装置１６にそれぞれが支持された複数のＲＦＩＤタグ５０の対応する情報を含むことができると理解されたい。１つの実施形態では、プロセッサ２６が、ＲＦＩＤタグ５０の識別を特定した時点でデータベース２２内の（例えば、ウェアラブル装置１６のＲＦＩＤタグ５０に対応又は関連する）対応する情報にアクセスすることができる。上述したように、データベース２２は、別の相互作用システム８に結合できる複数のコンピュータシステム１４と通信することができる。
【００１８】
上述したように、コンピュータシステム１４においてＲＦＩＤリーダ１０から受け取られた信号は、ユーザ１８の位置に関する情報を提供することができる。例えば、ＲＦＩＤリーダ１０からの信号は、ＲＦＩＤタグ５０からの後方散乱の検出、及び／又はＲＦＩＤタグ５０から受け取られた後方散乱の強度を示すことができ、後方散乱の強度は、ウェアラブル装置１６の、従って対応するユーザ１８のおおよその位置をさらに示すことができる。例えば、ＲＦＩＤリーダ１０は、ＲＦＩＤリーダ１０から一定の範囲又は距離内のＲＦＩＤタグ１０しか読み取らないことができる。従って、ＲＦＩＤリーダ１０による後方散乱の検出は、ウェアラブル装置１６のＲＦＩＤタグ５０がＲＦＩＤリーダ１０から一定の範囲又は距離内に存在することを示す。
【００１９】
動作中、コンピュータシステム１４は、センサシステム１２から信号を受け取ることもできる。この信号は、相互作用要素２０との相互作用の発生を示すことができる。図示の実施形態では、相互作用要素２０が、ディスプレイ２１上に提示された画像である。１つの実施形態では、プロセッサ２６が、センサシステム１２からの信号を処理して相互作用要素２０との相互作用を検出することができる。例えば、いくつかの実施形態では、プロセッサ２６が、センサシステム１２からの信号を処理して、相互作用要素２０に対する相互作用の位置を特定して相互作用要素２０との相互作用が発生したかどうかを判定することができる。例えば、相互作用要素２０は、ディスプレイ２１の隅部に位置する画像とすることができる。センサシステム１２がディスプレイの２１の隅部の相互作用要素２０の位置又はその近傍で行われた動作（例えば、タッチ、スワイプ、動き）を感知すると、プロセッサ２６は、相互作用要素２０との相互作用が発生したと判定することができる。従って、プロセッサ２６は、センサシステム１２から受け取られた信号を処理して、相互作用の発生及び／又は相互作用の位置を特定することができる。
【００２０】
１つの実施形態では、プロセッサ２６が、ＲＦＩＤリーダ１０からの信号を受け取って処理し、相互作用要素２０との相互作用を実行したユーザ１８に関連するＲＦＩＤタグ５０のアイデンティティを特定することもできる。なお、ＲＦＩＤリーダ１０からの信号が後方散乱の強度を示すこともでき、及び／又は複数のＲＦＩＤリーダ１０を利用してユーザ１８に関連するＲＦＩＤタグ５０の位置の特定を容易にすることもできると理解されたい。ＲＦＩＤタグ５０の位置を特定すると、とりわけそれぞれのＲＦＩＤタグ５０を有するそれぞれのウェアラブル装置１６をそれぞれが有する複数のユーザ１８が互いに近接している場合、又はＲＦＩＤタグ５０の範囲内に存在する場合に、ユーザ１８と相互作用要素２０との相互作用の合致を促すことができる。
【００２１】
プロセッサ２６は、ユーザ１８が相互作用要素２０との相互作用を完了したとの判定に応答して、１又は２以上の相互作用要素２０を更新する信号を送信することができる。例えば、プロセッサ２６は、ユーザ１８が相互作用要素２０に触れたと判定したことに応答して、相互作用要素２０を消滅させて新たな相互作用要素２０に置き換えさせる信号を送信することができる（例えば、プロセッサ２６は、１又は２以上のデータベース２２からの関連情報に基づいて、ディスプレイ２１上に表示するための画像をレンダリングすることができる）。１つの実施形態では、コンピュータシステム１４が、ＲＦＩＤタグ５０のアイデンティティ及び／又はデータベース２２からアクセスされる対応する情報に基づいて、新たな相互作用要素２０の表示をレンダリング及び／又は指示することができる。例えば、コンピュータシステム１４は、ＲＦＩＤタグ５０が特定のチームに属することを示すデータベース２２内の対応する情報にアクセスし、その後にこの特定のチームに関連するアニメキャラクタの表示をレンダリング及び／又は指示することができる。これに加えて、又はこれとは別に、コンピュータシステム１４は、オーディオをレンダリング及び／又は再生することもできる。従って、コンピュータシステム１４は、相互作用要素２０との相互作用を検出したことに応答して、異なるタイプのメディア（例えば、オーディオ、画像）をレンダリングすることができる。さらに、１つの実施形態では、プロセッサ２６が、相互作用要素２０との相互作用を反映するようにデータベース２２を更新することができる。例えば、プロセッサ２６は、ユーザ１８が相互作用要素２０と相互作用したと判定したことに応答して、ユーザ１８が着用又は携行しているウェアラブル装置１６に支持されたＲＦＩＤタグ５０の対応する情報（例えば、相互作用要素２０との相互作用からユーザ１８が獲得したポイント、ゲーム内レベル、完了した相互作用）を更新する信号をデータベース２２に送信することができる。このように、プロセッサ２６は、センサシステム１２によって送信された信号とＲＦＩＤリーダ１０によって送信された信号との組み合わせを処理して、相互作用要素２０及び／又はデータベース２２を更新することができる。
【００２２】
１つの実施形態では、ＲＦＩＤシステム２８が、複数のユーザ１８の情報を同時に更新することができる。例えば、ＲＦＩＤリーダ１０は、相互作用要素２０に近接するゾーン（例えば、所定のゾーン）内に複数のユーザ１８が存在すると判定することができる。その後、ユーザ１８のうちの１人が相互作用要素２０と相互作用すると、コンピュータシステム１４は、相互作用要素２０に近接するゾーン内に存在する全てのユーザ１８の情報を更新することができる。
【００２３】
ユーザ１８が特定の成果に達する（例えば、相互作用から十分なポイントを積み重ね、又は一定の相互作用を完了する）と、コンピュータシステム１４は、この成果を処理して、ユーザ１８が特別なアイテム又は体験を得られるようにすることができる。１つの実施形態では、相互作用システム８が、ユーザ１８が一定の成果に達した後にのみアクセスできる隔離された部屋又はエリアを含むことができる。例えば、この隔離された部屋又はエリアの扉をコンピュータシステム１４と通信可能に結合し、ユーザ１８が一定の成果に達した後にのみ、コンピュータシステム１４がドアを開く信号を供給することができる。１つの実施形態では、一定の成果に達した結果として、コンピュータシステム１４が（例えば、ユーザ１８の印刷装置又はモバイル装置を介して）専用商品のクーポンを提供することができる。なお、コンピュータシステム１４は、データベース２２からデータを受け取って分析し、一定の成果が達成されたと判定してこのような動作を実行することができると理解されたい。
【００２４】
図３は、図１に示す相互作用システム８の実施形態の概略図である。図３には、ＲＦＩＤリーダ１０、センサシステム１２、及びコンピュータシステム１４を示す。さらに、図３には、それぞれのＲＦＩＤタグ５０Ａ、５０Ｂ、５０Ｃを支持するそれぞれのウェアラブル装置１６Ａ、１６Ｂ及び１６Ｃをそれぞれが有する複数のユーザ１８Ａ、１８Ｂ及び１８Ｃも示す。図３では、ユーザ１８が相互作用システム８内に位置して、ウェアラブル装置１６ＡがＲＦＩＤリーダ１０に最も近く、ウェアラブル装置１６Ｃが最も離れており、ウェアラブル装置１６Ｂが中間に存在する。上述したように、それぞれのウェアラブル装置１６上に位置するそれぞれのＲＦＩＤタグ５０は、ＲＦＩＤリーダ１０にそれぞれの後方散乱を送信し、後方散乱の検出及び／又は強度は、ＲＦＩＤリーダ１０に対するＲＦＩＤタグ５０の位置に基づく。例えば、図３では、ＲＦＩＤリーダ１０が受け取る後方散乱は、ＲＦＩＤタグ５０Ｂと比べてＲＦＩＤタグ５０Ａからの方が強くなる。さらに、ＲＦＩＤリーダ１０は、それぞれの後方散乱の強度を示す情報を含む信号をコンピュータシステム１４に送信する。この結果、コンピュータシステム１４は、ユーザ１８Ａの位置の方がユーザ１８ＢよりもＲＦＩＤリーダ１０に近いと判定する。さらに、ＲＦＩＤタグ５０Ｃは、ＲＦＩＤリーダ１０の受信範囲外に存在する可能性があり、従ってＲＦＩＤリーダ１０は、ユーザ１８Ｃを検出することも、ユーザ１８Ｃの存在をコンピュータシステム１４に示すこともしない場合がある。他のＲＦＩＤリーダ１０を併用して、三角測量などを介してさらに詳細に位置情報を識別することもできる。
【００２５】
センサシステム１２は、相互作用要素２０との各相互作用を検出し、これらの相互作用を示す信号を生成することができる。例えば、図３を参照すると、ユーザ１８Ａが第１の相互作用要素２０Ａと相互作用した場合、センサシステム１２は、第１の相互作用要素２０Ａとの相互作用を検出し、この相互作用を示す信号を生成する。同様に、ユーザ１８Ｂが第２の相互作用要素２０Ｂと相互作用した場合、センサシステム１２は、第２の相互作用要素２０Ｂとの相互作用を検出し、この相互作用を示す信号を生成する。１つの実施形態では、第１及び第２の相互作用要素２０Ａ、２０Ｂが、センサシステム１２に通信可能に結合されたタッチ画面上に位置することができる。ユーザ１８Ａ、１８Ｂがそれぞれの第１及び第２の相互作用要素２０Ａ、２０Ｂに触れると、タッチ画面は相互作用を検出することができる。この結果、センサシステム１２は、それぞれの相互作用を示す信号をコンピュータシステム１４に送信する。コンピュータシステム１４は、第１及び第２の相互作用要素２０Ａ、２０Ｂとのそれぞれの相互作用を示すセンサシステム１２からの信号と、ユーザ１８Ａ、１８Ｂの位置を示すＲＦＩＤリーダ１０からの信号とを受け取って処理し、第１の相互作用要素２０Ａとの相互作用をユーザ１８Ａに、そして第２の相互作用要素２０Ｂとの相互作用をユーザ１８Ｂに合致させる（例えば、割り当てる）。例えば、コンピュータシステム１４は、これらの信号に基づいて、第１の相互作用要素２０Ａとの相互作用時にユーザ１８Ａが第１の相互作用要素２０Ａの最も近くに存在していたと判定し、従ってユーザ１８Ａを第１の相互作用要素２０Ａとの相互作用に合致させる。１つの実施形態では、コンピュータシステム１４が、受け取った信号及び合致した相互作用に基づいて、データベース２２内のユーザ１８Ａ、１８Ｂのための対応する情報を更新することができる。
【００２６】
１つの実施形態では、コンピュータシステム１４が、受け取った信号に基づいて相互作用要素２０を更新するための信号を送信することができる。例えば、コンピュータシステム１４は、１又は２以上のデータベース２２のモデルデータベースからの１つの新たな画像をユーザ１８Ａの付近のディスプレイ２１上に表示するためにレンダリングし、モデルデータベースからの異なる新たな画像をユーザ１８Ｂの付近のディスプレイ２１上に表示するためにレンダリングすることができる。新たな画像及び異なる新たな画像は、データベース２２内のユーザ１８Ａ、１８Ｃに関連するＲＦＩＤタグ５０Ａ、５０Ｂのための対応する情報に少なくとも部分的に基づいてレンダリングすることができる。このようにして、相互作用システム８は、各ユーザ１８の実績を追跡し、及び／又は各ユーザ１８のために個人化された体験を提供することができる。これに加えて、又はこれとは別に、コンピュータシステム１４は、モデルデータベースからの異なる新たな画像をユーザ１８の情報とは無関係に局所的にレンダリングすることもできる。例えば、画像をターゲットとすることができ、これらの画像に相互作用が行われると、どのユーザが相互作用を完了したかにかかわらずターゲットが消滅し、及び／又は別の特定の画像（例えば、同じ画像）に置き換わることができる。この場合、相互作用は、ユーザ１８に関連する情報に影響を与えることも与えないことも、或いはこのような情報を変更することもしないこともできる。
【００２７】
図４は、センサシステム１２の実施形態の正面図である。図４には、相互作用要素２０との相互作用を検出できる複数のセンサ要素を示す。１つの実施形態では、センサシステム１２が、光を放出できる１又は２以上の光エミッタ１００（例えば、発光ダイオード［ＬＥＤ］、レーザー）と、対応する光学検出器１０２（例えば、光検出器）とを含む。図示のように、１つの実施形態では、光エミッタ１００及び光学検出器１０２をディスプレイ２１の周辺に配置することができる。１つの実施形態では、各光エミッタ１００が、対応する光学検出器１０２に向けて光を放出するように、対応する光学検出器１０２に向かい合う（例えば、光学検出器１０２の真向かいに整列する）。１つの実施形態では、光学検出器１０２と光エミッタ１００との間に物体が存在しない限り、光エミッタ１００によって放出された光を光学検出器１０２が検出する。しかしながら、光エミッタ１００から放出された光に物体が干渉し、又は光学検出器１０２に到達するのを妨げる（例えば、ユーザ１８がディスプレイ２１上の相互作用要素２０と相互作用するために手を伸ばす）と、光学検出器１０２は、放出された光を検出せず、従って放出された光を検出しなかったことを示す信号をコンピュータシステム１４に送信する。図示のようにディスプレイ２１の周辺に光エミッタ１００及び光学検出器１０２を配置すると、コンピュータシステム１４は、光学検出器１０２からの信号を処理して、相互作用要素２０及び／又はディスプレイ２１に対する（例えば、Ｘ軸及びＹ軸に沿った）相互作用の位置を特定することができる。
【００２８】
１つの実施形態では、光エミッタ１００及び光学検出器１０２を共通のハウジング内に配置し、或いは光学検出器１０２が反射光を検出できるように配置することができる。いくつかのこのような例では、光エミッタ１００によって放出された光を物体（例えば、ユーザ１８の手）が光学検出器１０２に向けて反射することができ、光学検出器１０２は、反射光を検出して、放出された光を検出したことを示す信号をコンピュータシステム１４に供給することができる。このようにして、センサシステム１２は、相互作用要素２０との相互作用の発生を示す信号を供給することができる。
【００２９】
これに加えて、又はこれとは別に、センサシステム１２は、ＮＦＣリーダ１０４又はその他の様々なリーダのいずれか（例えば、ＵＨＦリーダ）などの、相互作用要素２０との相互作用を検出する複数のＲＦＩＤリーダ１０を含むこともできる。１つの実施形態では、ＮＦＣリーダ１０４をディスプレイ２１の後方側（すなわち、ユーザ１８に見えるディスプレイ２１の前方側の反対側）に配置することができる。１つの実施形態では、ＮＦＣリーダ１０４が格子状に（例えば、一連の行列で）配置される。従って、ユーザ１８が相互作用要素２０と相互作用するために前方に手を伸ばすと、ＮＦＣリーダ１０４は、ウェアラブル装置１６上に位置するＮＦＣ  ＲＦＩＤタグを読み取ることができる。図１〜図３に関して上述したように、ＲＦＩＤタグ５０は、ＮＦＣ  ＲＦＩＤタグを含むことができる。１つの実施形態では、ＮＦＣリーダ１０４が、ＮＦＣ  ＲＦＩＤタグからアイデンティティ情報を受け取って、相互作用とユーザ１８との合致を容易にするためにコンピュータシステム１４に提供することができる。
【００３０】
これに加えて、又はこれとは別に、センサシステム１２は、光検出及び測距（ＬＩＤＡＲ）システムを含むこともできる。ＬＩＤＡＲシステムは、ディスプレイ２１に近接して配置された少なくとも１つのＬＩＤＡＲセンサ１０６を含むことができる。動作中、ＬＩＤＡＲセンサ１０６は、ディスプレイ２１を光（例えば、レーザー光）の層で覆うように連続的に光を送信する。放出された光は、その経路内の物体にぶつかるとＬＩＤＡＲセンサ１０６に逆反射し、従ってＬＩＤＡＲセンサ１０６は、物体がどれほど離れているかを判断することができる。例えば、ユーザ１８がディスプレイ２１上の相互作用要素２０と相互作用するために手を伸ばすと、ユーザの手がＬＩＤＡＲセンサ１０６によって放出された光に干渉し、この干渉をＬＩＤＡＲセンサ１０６が検出して干渉の位置を特定する。その後、ＬＩＤＡＲセンサ１０６は、さらなる処理のために、干渉の位置を示す信号をコンピュータシステム１４に送信することができる。
【００３１】
これに加えて、又はこれとは別に、センサシステム１２は、抵抗式タッチ画面パネル、容量式タッチ画面パネル、表面音響波パネル、又はこれらのいずれかの組み合わせなどのタッチ画面を含むこともできる。タッチ画面は、ディスプレイ２１上で行われた相互作用を（例えば、接触力又は電荷によって）感知することができ、感知された相互作用の位置に基づいて相互作用の位置を特定することができる。その後、タッチ画面は、感知された相互作用の位置を示す信号をコンピュータシステム１４に送信することができる。なお、ディスプレイ２１は、相互作用要素２０を表示して相互作用要素２０との相互作用を検出できる１又は２以上のタッチ画面ディスプレイとすることができ、或いはこのようなタッチ画面ディスプレイを含むことができると理解されたい。
【００３２】
これに加えて、又はこれとは別に、センサシステム１２は、圧力パッド、スイッチ又はカメラなどの、相互作用を検出できる他の要素を含むこともできると理解されたい。また、センサシステム１２は、相互作用及びその位置の感知に使用するための、上述した要素又は上述していない他のいずれかの好適な要素のいずれかの組み合わせを含むこともできると理解されたい。
【００３３】
図５に、相互作用のさらなる特性（例えば、Ｚ軸に沿った深さ）を検出できるセンサシステム１２の実施形態を示す。図５に示すセンサシステム１２は、層状ＬＩＤＡＲシステムを含む。しかしながら、センサシステム１２は、図４と同様にディスプレイ２１の周囲に配置された（例えば、Ｚ軸に沿った）複数層の光エミッタ１００及び光学検出器１０２を含むこともできると理解されたい。図５には、２つのＬＩＤＡＲセンサ１０６Ａ及び１０６Ｂが存在する。図示のように、ＬＩＤＡＲセンサ１０６Ａは、ＬＩＤＡＲセンサ１０６Ｂよりも前方に（すなわち、ユーザ１８の方に）位置することにより、ＬＩＤＡＲセンサ１０６Ｂによってディスプレイ２１の前に形成される光層１５０Ｂよりもユーザ１８に近い光層１５０Ａを形成する。このようにすると、ＬＩＤＡＲセンサ１０６Ｂが干渉物（例えば、ユーザの手）を検出することなく、ＬＩＤＡＲセンサ１０６Ａが干渉物を検出することができる。コンピュータシステム１４は、ＬＩＤＡＲセンサ１０６Ａ（１０６Ｂ）によって送信された信号を処理して、相互作用のおおよその深さを特定することができる。例えば、両ＬＩＤＡＲセンサ１０６Ａ、１０６Ｂが物体を検出した場合、コンピュータシステム１４は、ユーザ１８がディスプレイ２１上の相互作用要素２０と完全に又は正常に相互作用した（例えば、接触した又は触れた）と判定することができる。しかしながら、一方のＬＩＤＡＲセンサ１０６Ａのみが物体を検出した場合、コンピュータシステム１４は、ユーザ１８が相互作用要素２０と完全に相互作用しなかったと判定することができる。さらに、図５には２つのＬＩＤＡＲセンサ１０６Ａ、１０６Ｂを示しているが、相互作用の深さ感知を可能にするためにあらゆる好適な数のＬＩＤＡＲシステム及び対応する光層が存在することもできる。
【００３４】
１つの実施形態では、センサシステム１２を使用してユーザ１８の位置を検出することができる。例えば、さらなるＬＩＤＡＲセンサ１０６を配置して、相互作用システム８内のユーザ１８の位置（例えば、室内又はエリア内の位置）を検出することができる。すなわち、ユーザ１８の存在が、ＬＩＤＡＲセンサ１０６のうちの１つ又は２つ以上の放出された光に干渉することができる。その後、１又は２以上のＬＩＤＡＲセンサ１０６は、この干渉に関する情報をコンピュータシステム１４に送信してユーザ１８の位置を特定することができる。その後、ＬＩＤＡＲセンサ１０６から受け取られた信号をＲＦＩＤリーダ１０から受け取られた信号と組み合わせてユーザ１８のアイデンティティを特定することができる。
【００３５】
さらに、１つの実施形態では、センサシステム１２を、ユーザ１８の骨格の動き及びジェスチャを検出するように構成することができる。例えば、センサシステム１２は、複数の撮像装置（例えば、カメラ）を含むことができ、これらの撮像装置によって取得された画像を（例えば、コンピュータシステム１４が画像処理アルゴリズムを使用して）処理して、ユーザ１８の骨格の動き及びジェスチャ（例えば、手を振ったこと、ジャンプ、ダンス、相互作用要素２０に向けて手を伸ばしたこと）を特定することができる。１つの実施形態では、ユーザ１８が相互作用要素２０に向けて手を伸ばしている様子をカメラが検出できるようにディスプレイ２１に対して撮像装置を配置することによって、相互作用の発生及び／又は相互作用の深さの判定を可能にすることができる。撮像装置によって取得された画像が、ユーザ１８が相互作用要素２０と一定の深さで相互作用した（例えば、実質的にディスプレイ２１に近接する領域に腕を伸ばした）ことを示す場合、コンピュータシステム１４は、相互作用が発生したと判定し、これに対応してユーザ１８及び／又は相互作用要素２０のプロファイルを更新することができる。しかしながら、撮像装置によって取得された画像が、ユーザ１８が相互作用要素２０と適切に相互作用しなかった（例えば、相互作用が適切な深さでない）ことを示す場合、コンピュータシステム１４は、ユーザ１８及び／又は相互作用要素２０のプロファイルを更新しないことができる。従って、センサシステム１２は、例えば相互作用、相互作用の深さ、ユーザの位置及び／又はユーザによって行われたジェスチャを検出するように構成された様々な要素（例えば、光エミッタ１００、光学検出器１０２、ＬＩＤＡＲセンサ１０６、カメラ）のうちのいずれかを含むことができる。
【００３６】
なお、センサシステム１２などの相互作用システム８の様々な特徴は、コンピュータシステム１４に無線で結合することができると理解されたい。例えば、センサシステム１２を部屋又はエリアに制限し、或いはこれらの中に固定しないこともできる。１つの実施形態では、センサシステム１２を移動車両（例えば、遊園地乗物）上に配置することができる。センサシステム１２は、ユーザ１８が乗物に乗っているかどうかを検出し、乗り物の最中に（例えば、乗物車両が経路に沿って進む際に）行われた相互作用を検出し、これに応じてデータベース２２及び／又は相互作用要素２０を更新することができる。１つの実施形態では、センサシステム１２を人物又はアニメキャラクタ上に配置して、これらの人物又はアニメキャラクタとの相互作用を検出することができる。このように、センサシステム１２は、遊園地内のあらゆる場所に配置することができ、静止物に固定しなくてもよい。
【００３７】
図６は、ユーザ１８の実績を追跡し、データベース２２内のデータを更新し、及び／又は相互作用要素２０更新して、ユーザ１８に独自の個人化された体験をもたらすためにプロセッサ２６が実行できる方法１３８のフローチャートである。本明細書に開示する方法１３８は、ブロックによって表す様々なステップを含む。なお、方法１３８の少なくともいくつかのステップは、相互作用システム８などのシステムによる自動手順として実行することができる。このフローチャートにはステップを特定の順序で示しているが、これらのステップはあらゆる好適な順序で実行することができ、適切な場合にはいくつかのステップを同時に実行することもできると理解されたい。また、方法１３８に対してステップを追加又は省略することもできる。さらに、方法１３８のいくつかのステップ又は部分を別の装置によって実行することもできる。例えば、方法１３８の第１の部分をコンピュータシステム１４のプロセッサ２６が実行し、方法１３８の第２の部分を別の処理装置が実行することもできる。また、本明細書に開示する方法１３８のステップを受信信号に適用する場合、受信信号は、未加工の信号又は処理済み信号とすることができると理解されたい。すなわち、方法１３８は、受信信号の出力に適用することができる。
【００３８】
ブロック１４０において、プロセッサ２６がＲＦＩＤリーダ１０から信号を受け取る。この信号は、ユーザ１８に対応するＲＦＩＤタグ５０から読み取られた情報を提供し、この情報をプロセッサ２６が使用してＲＦＩＤタグ５０の識別を特定し、及び／又はデータベース２２の対応するデータにアクセスする。プロセッサ２６は、ＲＦＩＤリーダ１０から受け取られた信号を使用して、ＲＦＩＤリーダ１０、相互作用要素２０、及び／又はディスプレイ２１に対するＲＦＩＤタグ５０の位置を特定することもできる。
【００３９】
ブロック１４２において、プロセッサ２６は、相互作用要素２０との相互作用の発生を示す信号をセンサシステム１２から受け取る。この信号は、相互作用要素２０に対する相互作用の位置を示すことができる。ブロック１４４において、プロセッサ２６は、相互作用の位置及びＲＦＩＤタグ５０の位置に少なくとも部分的に基づいて、この相互作用を対応するＲＦＩＤタグ５０に、従って対応するユーザ１８に合致させることができる。
【００４０】
ブロック１４６において、プロセッサ２６は、ユーザ１８による相互作用に基づいてデータベース２２を更新する。例えば、プロセッサ２６は、追加ポイントを含めること、又は相互作用を完了として記録することなどを行うようにデータベース２２を更新することができる。ブロック１４８において、プロセッサ２６は、対応するＲＦＩＤタグ５０に、従って関連するユーザ１８に相互作用を合致させた結果として相互作用要素２０を更新することができる。相互作用要素２０は、例えばＲＦＩＤタグ５０及びユーザ１８に固有の対応する情報に基づいて次の相互作用要素２０が選択されてユーザ１８に提示されるように、ユーザに特化した形で更新することができる。方法１３８は、あらゆる数のユーザ１８によるあらゆる数の相互作用に応答して実行することができる。さらに、複数のユーザ１８が複数の相互作用要素２０と同時に相互作用する場合、プロセッサ２６は、方法１３８を同時に複数回実行することができる。
【００４１】
上述したように、本開示の実施形態は、ＲＦＩＤリーダ、センサシステム及びコンピュータシステムを使用してＲＦＩＤタグの位置及び識別を特定する相互作用システムについて説明したものである。さらに、システムは、ＲＦＩＤタグに関連するユーザによって実行された相互作用を検出する。相互作用システムは、ＲＦＩＤタグに関連する情報を１又は２以上のデータベースに記憶し、この情報は、ユーザの相互作用、基本設定、実績、又はこれらのいずれかの組み合わせに少なくとも部分的に基づいて動的に変化する。コンピュータシステムは、これらの情報を反映して各ユーザの体験を強化するように相互作用システムの要素を更新する。
【００４２】
本明細書では、本開示のいくつかの特徴のみを図示し説明したが、当業者には多くの修正及び変更が思い浮かぶであろう。従って、添付の特許請求の範囲は、本開示の正確な趣旨に従う全てのこのような修正及び変更を含むように意図されていると理解されたい。
【符号の説明】
【００４３】
８  相互作用システム
１０  ＲＦＩＤリーダ
１２  センサシステム
１４  コンピュータシステム
１６  ウェアラブル装置
１８  ユーザ
２０  相互作用要素
２１  ディスプレイ
２２  データベース
２４  メモリ
２６  プロセッサ
５０  ＲＦＩＤタグ
【図１】
2021510869.tif 000003
【図２】
2021510869.tif 000004
【図３】
2021510869.tif 000005
【図４】
2021510869.tif 000006
【図５】
2021510869.tif 000007
【図６】
2021510869.tif 000008
【国際調査報告】
2021510869.tif 000009
2021510869.tif 000010
2021510869.tif 000011
2021510869.tif 000012